(57)【要約】【課題】  アンテナ線先端のプラグのピンをコネクタのピン挿入孔に挿入する際に、プラグを斜めにコネクタに挿入しても、ピンが曲がってしまうことを防ぐことができ、アンテナ線先端のプラグの破損を防ぐことができるアンテナ線の接続構造を提供する。【解決手段】  筐体１に外向きに配置されたコネクタ２の中心部にピン挿入孔２ａが設けられ、このコネクタのピン挿入孔にアンテナ線先端のプラグ３の中心位置に設けられたピン６を挿入してこのピンとコネクタを導通状態で接続するようにし、プラグは、本体部４と、この本体部内に取付けられた有底筒状部５と、有底筒状部の中心部に配置されて有底筒状部の内部より外部に向けて突出されたピン６と、ピンと一体に設けられ有底筒状部の底面から先端側に向けて適宜長さ配設されたスプリングバネ７とを有し、コネクタのピン挿入孔の孔縁に外側に向けて広がるテーパー面２ｂが形成されている。【選択図】  図２
2007149531.tif 000002
【特許請求の範囲】
【請求項１】
筐体に外向きに配置されたコネクタの中心部にピン挿入孔が設けられ、このコネクタのピン挿入孔にアンテナ線先端のプラグの中心位置に設けられたピンを挿入してこのピンと前記コネクタを導通状態で接続するようにしたアンテナ線の接続構造において、前記プラグは、本体部と、この本体部内に取付けられた有底筒状部と、この有底筒状部の中心部に配置されて前記有底筒状部の内部より外部に向けて突出されたピンと、このピンと一体に設けられ前記有底筒状部の底面から先端側に向けて適宜長さ配設されたバネとを有し、前記コネクタのピン挿入孔の孔縁に外側に向けて広がるテーパー面が形成されており、前記プラグのピンの先端を前記コネクタのピン挿入孔に前記テーパー面に沿ってガイドされて挿入し、前記ピンの先端が前記コネクタのピン挿入孔の底部に接した際に前記バネが前記ピンに押されて前記プラグの有底筒状部の底部側に向けて縮み、この際に前記プラグの有底筒状部の内部に前記コネクタが押入されて前記ピンと前記コネクタが導通状態で接続されるように構成したことを特徴とするアンテナ線の接続構造。
【請求項２】
筐体に外向きに配置されたコネクタの中心部にピン挿入孔が設けられ、このコネクタのピン挿入孔にアンテナ線先端のプラグの中心位置に設けられたピンを挿入してこのピンと前記コネクタを導通状態で接続するようにしたアンテナ線の接続構造において、前記プラグは、本体部と、この本体部内に取付けられた有底筒状部と、この有底筒状部の中心部に配置されて前記有底筒状部の内部から外部に向けて突出されたピンと、このピンと一体に設けられ前記有底筒状部の底面から先端側に向けて適宜長さ配設された弾性体とを有し、前記プラグのピンの先端を前記コネクタのピン挿入孔に挿入し、前記ピンの先端が前記コネクタのピン挿入孔の底部に接した際に前記弾性体が前記ピンに押されて前記プラグの有底筒状部の底部側に向けて縮み、この際に前記プラグの有底筒状部の内部に前記コネクタが押入されて前記ピンと前記コネクタが導通状態で接続されるように構成したことを特徴とするアンテナ線の接続構造。
【請求項３】
前記弾性体がスプリングバネからなる請求項２に記載のアンテナ線の接続構造。
【発明の詳細な説明】
【技術分野】
【０００１】
本発明は、筐体に外向きに配置されたコネクタの中心部にピン挿入孔が設けられ、このコネクタのピン挿入孔にアンテナ線先端のプラグの中心位置に設けられたピンを挿入してこのピンとコネクタを導通状態で接続するようにしたアンテナ線の接続構造に関するものである。
【背景技術】
【０００２】
一般にアンテナ線の接続構造は、図６に示すように、筐体１０１に外向きに配置されたコネクタ１０２の中心部のピン挿入孔１０２ａにアンテナ線（図示略）先端のプラグ１０３の中心位置に設けられたピン１０４を挿入してこのピン１０４とコネクタ１０２を導通状態で接続するようになっている。ところが、従来はプラグ１０３の中心位置のピン１０４の長さがプラグ１０３の先端縁より短いために、プラグ１０３が斜めに挿入されると、ピン１０４の先端がコネクタ１０２のピン挿入孔１０２ａの孔縁近傍箇所に当接してしまう場合があり、このために、ピン１０４が曲がってしまうことがあるという問題があった。
【０００３】
第１の従来技術を図７（ａ）（ｂ）に示す。この従来の低妨害高周波コネクタは、図７（ａ）（ｂ）に示すように、高周波信号が伝送される同軸ケーブル２１２に装着される高周波プラグ２１６と高周波信号を受信して電気的処理を行う高周波回路との接続部において、内部に形成した突起部２０６を高周波プラグ２１６の装着後に変形させることにより芯線２１７を挟み込む金具２０１と芯線２１７とを加圧固定し、突起部２０６の変形をもとにもどすことにより加圧固定が解放される構造として芯線２１７と芯線金具２０１との接続構造を安定化し、接触面積の減少や一時的な喪失による映像障害の発生を回避する。      
【０００４】
（例えば、特許文献１参照）。
【０００５】
ところが、これにおいては、芯線２１７をスペーサ２０５の孔部２０７に挿入する際に、この芯線２１７の先端がスペーサ２０５の孔部２０７を形成している壁部に当たってこの芯線２１７が曲がってしまうことがあるという問題があった。
【０００６】
第２の従来技術を図８（ａ）（ｂ）（ｃ）に示す。この従来の従来のＬＮＢの出力コネクタは、図８（ａ）（ｂ）（ｃ）に示すように、ＬＮＢの筐体３０１に出力コネクタの接地端子となる略円筒形の外導体３０１ａを設ける。信号電極となる板バネのコネクタピン３０４を嵌合した略円筒形の絶縁樹脂３０３の先端の鈎３０３ｂの内側に突起３０３ｃを設ける。絶縁樹脂３０３を外導体３０１ａの内部３０１ｂに嵌入すると突起３０３ｃが中心コネクタピン３０４の先端３０４ａを矢印イ方向に押し上げ回路基板３０２の端部等にぶつかることなく嵌入でき、回路基板３０２の出力端子に接続される。中心コネクタピン３０４のケーブル接続部３０４ｂに同軸ケーブルの心線を接続し、外導体３０１ａに同外皮線を接続することで、ＬＮＢからのＩＦ信号を同軸ケーブルに出力することができる。      
【０００７】
（例えば、特許文献２参照）。
【０００８】
ところが、これは、受側の孔部にコネクタピン３０４を挿入するものではなかった。
【０００９】
第３の従来技術を図９に示す。この従来のアンテナ接栓保持装置は、図９に示すように、アンテナ接栓４０６に接続されたアンテナの信号伝達は、スプリングピン４０７と回路基板４０４側に固定された端子４０８の接触接続で行っている。このため、回路基板４０４の着脱が容易である。（例えば、特許文献３参照）。
【００１０】
ところが、これは、受側の孔部にスプリングピン４０７を挿入するものではなかった。
【特許文献１】特開２００３−２８２１９６号公報
【特許文献２】特開平９−２８３２３２号公報
【特許文献３】特開平８−６５１７９号公報
【発明の開示】
【発明が解決しようとする課題】
【００１１】
本発明は、上記従来の問題に鑑みてなされたものであって、アンテナ線先端のプラグのピンをコネクタのピン挿入孔に挿入する際に、プラグが斜めにコネクタに挿入されたとしても、このピンが曲がってしまうことを防ぐことができ、アンテナ線先端のプラグの破損を防ぐことができるアンテナ線の接続構造を提供することを目的としている。
【課題を解決するための手段】
【００１２】
本発明は、上記課題を解決するために提案されたものであって、請求項１に記載の発明は、筐体に外向きに配置されたコネクタの中心部にピン挿入孔が設けられ、このコネクタのピン挿入孔にアンテナ線先端のプラグの中心位置に設けられたピンを挿入してこのピンと前記コネクタを導通状態で接続するようにしたアンテナ線の接続構造において、前記プラグは、本体部と、この本体部内に取付けられた有底筒状部と、この有底筒状部の中心部に配置されて前記有底筒状部の内部より外部に向けて突出されたピンと、このピンと一体に設けられ前記有底筒状部の底面から先端側に向けて適宜長さ配設されたバネとを有し、前記コネクタのピン挿入孔の孔縁に外側に向けて広がるテーパー面が形成されており、前記プラグのピンの先端を前記コネクタのピン挿入孔に前記テーパー面に沿ってガイドされて挿入し、前記ピンの先端が前記コネクタのピン挿入孔の底部に接した際に前記バネが前記ピンに押されて前記プラグの有底筒状部の底部側に向けて縮み、この際に前記プラグの有底筒状部の内部に前記コネクタが押入されて前記ピンと前記コネクタが導通状態で接続されるように構成したことを特徴としている。
【００１３】
請求項２に記載の発明は、筐体に外向きに配置されたコネクタの中心部にピン挿入孔が設けられ、このコネクタのピン挿入孔にアンテナ線先端のプラグの中心位置に設けられたピンを挿入してこのピンと前記コネクタを導通状態で接続するようにしたアンテナ線の接続構造において、前記プラグは、本体部と、この本体部内に取付けられた有底筒状部と、この有底筒状部の中心部に配置されて前記有底筒状部の内部から外部に向けて突出されたピンと、このピンと一体に設けられ前記有底筒状部の底面から先端側に向けて適宜長さ配設された弾性体とを有し、前記プラグのピンの先端を前記コネクタのピン挿入孔に挿入し、前記ピンの先端が前記コネクタのピン挿入孔の底部に接した際に前記弾性体が前記ピンに押されて前記プラグの有底筒状部の底部側に向けて縮み、この際に前記プラグの有底筒状部の内部に前記コネクタが押入されて前記ピンと前記コネクタが導通状態で接続されるように構成したことを特徴としている。
【００１４】
請求項３に記載の発明は、前記弾性体がスプリングバネからなるものである。
【発明の効果】
【００１５】
請求項１に記載の発明によれば、プラグの有底筒状部の中心部分に設けられたピンに一体に有底筒状部の底面からバネが配設されているから、プラグが斜め向きにコネクタに挿入された際に、このプラグのピンをコネクタのピン挿入孔の孔縁近傍箇所に当接したとしても、バネが縮むことにより、ピンがプラグの内部に向けて押されて入り込むだけなのでこのピンが曲がったり損傷したりすることがない。また、コネクタのピン挿入孔には、その孔縁に外側に向けて広がるテーパー面が形成されているから、プラグのピンはこのテーパー面にガイドされてコネクタのピン挿入孔に挿入されることにより、プラグのピンをコネクタのピン挿入孔にスムーズに挿入することができる。
【００１６】
請求項２に記載の発明によれば、プラグの有底筒状部の中心部分に設けられたピンに一体に有底筒状部の底面から弾性体が配設されているから、プラグが斜め向きにコネクタに挿入された際に、このプラグのピンをコネクタのピン挿入孔の孔縁近傍箇所に当接したとしても、弾性体が縮むことにより、ピンがプラグの内部に向けて押されて入り込むだけなのでこのピンが曲がったり損傷したりすることがない。
【００１７】
請求項３に記載の発明によれば、弾性体がスプリングピンからなるものであるから、弾性体を簡単化することができ、ピンに一体化し易い。
【発明を実施するための最良の形態】
【００１８】
以下、本発明に係るアンテナ線の接続構造の実施の形態について、図を参照しつつ説明する。
【００１９】
図１は第１実施形態のアンテナ線の接続構造を示し、プラグのピンをコネクタのピン挿入孔に挿入する直前の状態を示す縦断面図、図２は同構造におけるプラグのピンをコネクタのピン挿入孔に挿入して接続した状態の縦断面図、図３は同構造のプラグを示す斜視図である。
【００２０】
この第１実施形態のアンテナ線の接続構造は、図１、図２に示すように、筐体１に外向きにコネクタ２が配置され、このコネクタ２にはピン挿入孔２ａが設けられ、このピン挿入孔２ａの孔縁近傍箇所に外側に向けて広がるテーパー面２ｂが形成されている。このコネクタ２に接続されるプラグ３は、図３にも示すように、アンテナ線（図示略）の先端の本体部４と、この本体部４内に取付けられた有底筒状部５と、この有底筒状部５の中心部に配置されて有底筒状部５の内部より外部に向けて突出されたピン６と、このピン６と一体に設けられ有底筒状部５の底面から先端側に向けて適宜長さ配設されたスプリングバネ７とを有している。
【００２１】
プラグ３のピン６の先端をコネクタ２のピン挿入孔２ａにテーパー面２ｂに沿ってガイドされて挿入し、ピン６の先端がコネクタ２のピン挿入孔２ａの底部に接した際にスプリングバネ７がピン６に押されてプラグ３の有底筒状部５の底部側に向けて縮み、この際にプラグ３の有底筒状部５の内部にコネクタ２が押入されてピン６とコネクタ２が導通状態で接続される。
【００２２】
この第１実施形態によれば、プラグ３の有底筒状部５の中心部分に設けられたピン６に一体に有底筒状部５の底面からスプリングバネ７が配設されているから、プラグ３が斜め向きにコネクタ２に挿入された際に、このプラグ３のピン６をコネクタ２のピン挿入孔２ａの孔縁近傍箇所に当接したとしても、スプリングバネ７が縮むことにより、ピン６がプラグ３の内部に向けて押されて入り込むだけなのでこのピン６が曲がったり損傷したりすることがない。また、コネクタ２のピン挿入孔２ａには、その孔縁に外側に向けて広がるテーパー面２ｂが形成されているから、プラグ３のピン６はこのテーパー面２ｂにガイドされてコネクタ２のピン挿入孔２ａに挿入されることにより、プラグ３のピン６をコネクタ２のピン挿入孔２ａにスムーズに挿入することができる。
【００２３】
図４は第２実施形態のアンテナ線の接続構造を示し、プラグのピンをコネクタのピン挿入孔に挿入する直前の状態を示す縦断面図、図５は同構造におけるプラグのピンをコネクタのピン挿入孔に挿入して接続した状態の縦断面図である。
【００２４】
この第２実施形態のアンテナ線の接続構造は、図４、図５に示すように、筐体１に外向きにコネクタ２が配置され、このコネクタ２にはピン挿入孔２ａが設けられている。このコネクタ２に接続されるプラグ３は、アンテナ線（図示略）の先端の本体部４と、この本体部４内に取付けられた有底筒状部５と、この有底筒状部５の中心部に配置されて有底筒状部５の内部より外部に向けて突出されたピン６と、このピン６と一体に設けられ有底筒状部５の底面から先端側に向けて適宜長さ配設されたスプリングバネ７とを有している。
【００２５】
プラグ３のピン６の先端をコネクタ２のピン挿入孔２ａに挿入し、ピン６の先端がコネクタ２のピン挿入孔２ａの底部に接した際にスプリングバネ７がピン６に押されてプラグ３の有底筒状部５の底部側に向けて縮み、この際にプラグ３の有底筒状部５の内部にコネクタ２が押入されてピン６とコネクタ２が導通状態で接続される。
【００２６】
この第２実施形態によれば、プラグ３の有底筒状部５の中心部分に設けられたピン６に一体に有底筒状部５の底面からスプリングバネ７が配設されているから、プラグ３が斜め向きにコネクタ２に挿入された際に、このプラグ３のピン６をコネクタ２のピン挿入孔２ａの孔縁近傍箇所に当接したとしても、スプリングバネ７が縮むことにより、ピン６がプラグ３の内部に向けて押されて入り込むだけなのでこのピン６が曲がったり損傷したりすることがない。
【００２７】
尚、上記した各実施形態では、ピン６にスプリングバネ７を一体に設けたものについて説明したが、これに限らず、ピン６に板バネ等の他の弾性体を一体的に設けてもよいことは勿論である。
【図面の簡単な説明】
【００２８】
【図１】第１実施形態のアンテナ線の接続構造を示し、プラグのピンをコネクタのピン挿入孔に挿入する直前の状態を示す縦断面図である。
【図２】同構造におけるプラグのピンをコネクタのピン挿入孔に挿入して接続した状態の縦断面図である。
【図３】同構造のプラグを示す斜視図である。
【図４】第２実施形態のアンテナ線の接続構造を示し、プラグのピンをコネクタのピン挿入孔に挿入する直前の状態を示す縦断面図である。
【図５】同構造におけるプラグのピンをコネクタのピン挿入孔に挿入して接続した状態の縦断面図である。
【図６】従来のアンテナ線の接続構造を示し、コネクタに対してプラグを斜め向きに装着する状態を示す縦断面図である。
【図７】従来の低妨害高周波コネクターを示し、（ａ）はそのスペーサ部分を示す断面図、（ｂ）はその高周波プラグの芯線金具とスペーサ内の芯線金具との接続状態を示す断面図である。
【図８】従来のＬＮＢの出力コネクタを示し、（ａ）はその分解側面断面図、（ｂ）はその組み立て途中の側面断面図、（ｃ）はその組み立て完了時の側面断面図である。
【図９】従来のアンテナ接栓保持装置を示す部分断面図である。
【符号の説明】
【００２９】
１      筐体
２      コネクタ
２ａ    ピン挿入孔
２ｂ    テーパー面
３      プラグ
４      本体部
５      有底筒状部
６      ピン
７      スプリングバネ
【図１】
2007149531.tif 000003
【図２】
2007149531.tif 000004
【図３】
2007149531.tif 000005
【図４】
2007149531.tif 000006
【図５】
2007149531.tif 000007
【図６】
2007149531.tif 000008
【図７】
2007149531.tif 000009
【図８】
2007149531.tif 000010
【図９】
2007149531.tif 000011